(57)【要約】【課題】  雨水の侵入を回避しつつ、通風による涼感を効果的に付与することのできる建築物用通風塔を提供する。【解決手段】  天井面１６に開口する天井排気口１８と連通する中空部分１９を備え、屋根部１２の上方に突出する本体筒状部２０と、本体筒状部２０の上端部に連設配置され、本体筒状部２０の断面形状に沿った環状に配される枠部材２１を間隔をおいて積層して形成される横縞状筒状部２２とからなる建築物用通風塔１０であって、横縞状筒状部２２の内側には、本体筒状部２０の上端開口２０ａを閉塞した状態から、横縞状筒状部２２の上端部との間で昇降して通風塔２０を開閉するトップライト部材２３が設けられ、トップライト部材２３を上昇させて通風塔１０を開放した際に、トップライト部材２３の下方の本体筒状部２０との間で、横縞状筒状部２２の間隔部分２２ａを介して横方向に風が抜けるようにした。【選択図】      図２
2006265824.tif 000002
【特許請求の範囲】
【請求項１】
建築物の天井面に開口する天井排気口と連通する中空部分を内側に備え、前記建築物の屋根部から上方に向けて突出する本体筒状部と、該本体筒状部の上端部に連設配置され、該本体筒状部の断面形状に沿った環状に配される枠部材を複数上下に間隔をおいて積層することによって形成される横縞状筒状部とからなる建築物用通風塔であって、
前記横縞状筒状部の内側には、前記本体筒状部の上端部に設置されて前記本体筒状部の上端開口を閉塞した状態から、前記横縞状筒状部の上端部との間で上下に昇降して前記通風塔を開閉するトップライト部材が設けられ、前記トップライト部材を上昇させて前記通風塔を開放した際に、前記トップライト部材の下方の前記本体筒状部との間で、前記横縞状筒状部の間隔部分を介して横方向に風が抜けるようにした建築物用通風塔。
【請求項２】
前記本体筒状部の断面形状に沿った環状に配される枠部材は羽根板からなり、前記横縞状筒状部はルーバー構造となっている請求項１に記載の建築物用通風塔。
【請求項３】
前記トップライト部材は、前記横縞状筒状部の最上部まで上昇した際に、その上面が前記横縞状筒状部の内側周縁部分に密着当接する請求項１又は２に記載の建築物用通風塔。
【請求項４】
天井面に開口する天井排気口と連通して、請球項１〜３のいずれかに記載の建築物用通風塔が設けられた建築物。
【請求項５】
前記天井排気口は吹き抜け部分の天井面に開口しており、該吹き抜け部分の直上に請球項１〜３のいずれかに記載の建築物用通風塔が設けられた請求項４に記載の建築物。
【請求項６】
階段の上方に請球項１〜３のいずれかに記載の建築物用通風塔が設けられ、前記トップライト部材を介して階段に光を照らすようになっている請求項４に記載の建築物。
【発明の詳細な説明】
【技術分野】
【０００１】
本発明は、建築物用通風塔及び該通風塔が設けられた建築物に関する。
【背景技術】
【０００２】
建築物の高断熱、高気密化に伴ない、建築物の内外が遮断されやすくなっていることから、建築物の内部を換気するために、換気扇等による動力を用いた２４時間換気の建築物が種々開発されている。また、自然エネルギーを効果的に利用することで、通風および排熱作用を向上させると共に、資源エネルギー及び電力使用量の削減を図ることを目的とした建築物も開発されている（例えば、特許文献１参照）。特許文献１の建築物では、屋根から上方に突出して排熱塔が設けられており、暖められた空気が自然に上昇することを利用して、下階の外壁に設けられた空気取入れ開口部から排熱塔に向かう空気の流路を形成し、例えば室内にこもった熱を自然対流によって排熱塔から空気と共に排出するようにしたものである。
【０００３】
また、屋根から上方に突出させて排熱塔などの煙突形状の構造部分を建築物に設ける場合、建築物のデザイン性等を考慮して、図７（ａ），（ｂ）に示すように、煙突本体部５０の上部に好ましくはルーバー構造の横縞状筒状部５１を目隠し材として取り付けておき、この横縞状筒状部５１の内部において排気口５２を開口させると共に、ルーバー構造の間隔部分から排熱を伴なう空気を排出するような構造を採用するのが一般的である。さらに、排気口５２を介した屋内への雨水等の侵入を回避できるように、横縞状筒状部５１の上方を覆って天面部５３を設け、排気口５２は横方向に開口させると共に、排熱を伴なう空気を排出するのに適した開口面積で排気口５２を開口させる工夫がなされている。
【特許文献１】特開２００４−２８５７０５号公報
【発明の開示】
【発明が解決しようとする課題】
【０００４】
しかしながら、上記従来の横縞状筒状部５１が上部に設けられた煙突形状の構造部分としての廃熱塔によれば、自然対流によって屋内から送られる排熱を伴なう空気を排出するための換気を目的としたものであることから、通過する風量は微量であり、例えば体感温度を下げる可感気流を屋内に生じさせるのに十分な、相当量の空気をスムーズに排出させることは困難である。したがって、高断熱、高気密の建築物において、例えば最上階の屋内の温度が日射によって一度上昇した後に、上昇した温度が下がり難くなっている場合に、エアコン等によることなく、自然エネルギーを利用して通風による涼感を効果的に得ることは困難である。また、排気口の面積を大きくして、煙突形状の構造部分から排出される風量を増加させることも考えられるが、雨天時等に排気口から雨水等が屋内に侵入しやすくなると共に、単に排気口の面積を大きくしても、屋内に生じる自然対流による風量が増加しなければ、十分な通風を確保することは困難である。
【０００５】
本発明は、このような従来の課題に着目してなされたものであり、雨水の侵入を回避しつつ相当量の通風を得ることを可能にすると共に、特に夏季において、高断熱、高気密の建築物の最上階の屋内に、通風による涼感を効果的に付与することを可能にする建築物用通風塔及び該通風塔が設けられた建築物を提供することを目的とする。
【課題を解決するための手段】
【０００６】
本発明は、建築物（戸建住宅、店舗併用住宅、共同住宅等）の天井面に開口する天井排気口と連通する中空部分を内側に備え、前記建築物の屋根部から上方に向けて突出する本体筒状部と、該本体筒状部の上端部に連設配置され、該本体筒状部の断面形状に沿った環状に配される枠部材を複数上下に間隔をおいて積層することによって形成される横縞状筒状部とからなる建築物用通風塔であって、前記横縞状筒状部の内側には、前記本体筒状部の上端部に設置されて前記本体筒状部の上端開口を閉塞した状態から、前記横縞状筒状部の上端部との間で上下に昇降して前記通風塔を開閉するトップライト部材が設けられ、前記トップライト部材を上昇させて前記通風塔を開放した際に、前記トップライト部材の下方の前記本体筒状部との間で、前記横縞状筒状部の間隔部分を介して横方向に風が抜けるようにした建築物用通風塔を提供することにより、上記目的を達成したものである。
【０００７】
本発明の建築物用通風塔によれば、前記本体筒状部の断面形状に沿った環状に配される枠部材は羽根板からなり、前記横縞状筒状部はルーバー構造となっていることが好ましい。
【０００８】
また、本発明の建築物用通風塔によれば、前記トップライト部材は、前記横縞状筒状部の最上部まで上昇した際に、その上面が前記横縞状筒状部の内側周縁部分に密着当接するようになっていることが好ましい。
【０００９】
そして、本発明は、天井面に開口する天井排気口と連通して、前記建築物用通風塔が設けられた建築物を提供することにより、上記目的を達成したものである。
【００１０】
本発明の建築物によれば、前記天井排気口は吹き抜け部分の天井面に開口しており、該吹き抜け部分の直上に前記建築物用通風塔が配置されていることが好ましい。
【００１１】
また、本発明の建築物によれば、階段の上方に前記建築物用通風塔が設けられ、前記トップライト部材を介して階段に光を照らすようになっていることが好ましい。
【発明の効果】
【００１２】
本発明の建築物用通風塔及び該通風塔が設けられた建築物によれば、雨水の侵入を回避しつつ相当量の通風を得ることができると共に、特に夏季において、高断熱、高気密の建築物の最上階の屋内に、通風による涼感を効果的に付与することができる。
【発明を実施するための最良の形態】
【００１３】
本発明の好ましい一実施形態に建築物用通風塔１０は、図１（ａ）〜（ｃ）に示すように、例えば二階建ての建築物１１の屋根部１２から上方に突出して設けられ、雨天時における雨水の侵入を回避しつつ、必要に応じて建築物１１の内部から外部へ向かう相当量の通風を屋内に生じさせることを可能にするものである。
【００１４】
ここで、本実施形態によれば、建築物１１の１階部分１３には、図１（ｃ）に示すように、玄関１３ａ、玄関ホール１３ｂ、和室１３ｃ、浴室１３ｄ、洗面所１３ｅ、キッチン１３ｆ、リビングダイニング１３ｇ等が設けられている。また、リビングダイニング１３ｇには、上階へ通じる階段１４の昇降口が設けられている。さらに、１階部分１３の略中央に位置する、階段１４を含んだリビングダイニング１３ｇの角部分の領域は、２階部分１５の天井面１６（図２参照）に至る空間となった吹き抜け部分１７となっている。
【００１５】
一方、建築物１１の２階部分１５には、図１（ｂ）に示すように、階段１４の昇降口と連続する２階ホール１５ａの周囲に配置されて、３箇所の子供部屋１５ｂ，１５ｃ，１５ｄ、ウォークインクローゼット１５ｅ付きの寝室１５ｆ、洗面所１５ｇ等が設けられ、また寝室１５ｆの外側には、バルコニー１５ｈが設けられている。
【００１６】
また、本実施形態によれば、建築物用通風塔１０を介して屋内の空気を排気するために、当該通風塔１０と連通して２階部分１５の天井面１６に開口して設けられる天井排気口１８（図２参照）は、吹き抜け部分１７の天井面１６に開口形成されており、建築物用通風塔１０は、吹き抜け部分１７の直上に設けられている。さらに、建築物用通風塔１０は、吹き抜け部分１７に配置される階段１４の上方に設けられることになり、トップライト部材２３を介して階段１４に光を照らすことができるようになっている。
【００１７】
そして、本実施形態の建築物用通風塔１０は、図２及び図３に示すように、建築物１１の天井面１６に開口する天井排気口１８と連通する中空部分１９を内側に備え、建築物１１の屋根部１２から上方に向けて突出する本体筒状部２０と、この本体筒状部２０の上端部に連設配置され、本体筒状部２０の断面形状に沿った環状に配される枠部材２１を複数上下に間隔をおいて積層することによって形成される横縞状筒状部２２とからなり、横縞状筒状部２２の内側には、本体筒状部２０の上端部に設置されて本体筒状部２０の上端開口１９ａを閉塞した状態から、横縞状筒状部２２の上端部との間で上下に昇降して通風塔１０を開閉するトップライト部材２３が設けられ、トップライト部材２３を上昇させて通風塔１０を開放した際に、トップライト部材２３の下方の本体筒状部２０との間で、横縞状筒状部２２の間隔部分２２ａを介して横方向に風が抜けるようになっている（図６参照）。
【００１８】
また、本実施形態によれば、本体筒状部２０の断面形状に沿った環状に配される枠部材２１は羽根板からなり、横縞状筒状部２２はルーバー構造、或いはガラリ構造となっている。
【００１９】
本実施形態によれば、建築物用通風塔１０の本体筒状部２０は、好ましくは内寸が縦横４５０〜１５００ｍｍ程度の大きさの正方形断面形状を備えており、４方を囲む側壁は、例えばせっこうボードからなる内面板２０ａとマルチバランス壁パネルからなる外面板２０ｂとの間に高性能グラスウールからなる断熱材２０ｃを充填配置して構成され、１５０〜２５０ｍｍ程度の厚さを有している。また本体筒状部２０は、天井排気口１８を囲むようにして、２階部分１５の天井面１６を構成する天井パネル２４から上方に立設し、屋根部１２を貫通してこれの上方に突出して取り付けられている。さらに、本体筒状部２０の上端部には、横縞状筒状部２２やトップライト部材２３の支持台となる笠木２０ｄが取り付けられている。また、本体筒状部２０の屋根部１２から突出する部分には、外面板２０ｂを覆って透湿防水シートが敷設されると共に、縦胴縁を介在させてサイディング２０ｅが取り付けられている。
【００２０】
本体筒状部２０の上端部に連設配置される横縞状筒状部２２は、本体筒状部２０の断面形状に沿った形状として、正方形環状に羽根板を形成してなる枠部材２１を、例えば枠の内側の４隅に配置した骨組用の支持金具に支持させて、間隔部分２２ａを保持しつつ複数枚（本実施形態では４枚）上下に一体として積層配置することによって形成されている。また、横縞状筒状部２２は、例えば支持金具の基盤部を介して本体筒状部２０の上端の笠木２０ｄに固定され、例えば１５０〜５００  ｍｍ程度の高さで、風によって吹き飛ばされないように強固に取り付けられている。なお、横縞状筒状部２２の上端面２２ｂは、内部に取り付けられるトップライト部材２３を介した採光に支障がないように、開口面としておくことが好ましいが、最上段の枠部材２１の上面に透光性を有する透明ガラス等を取り付けて上端面２２ｂを閉塞することもでき、これによって、トップライト部材２３の昇降時における通風塔１０を介した雨水の侵入を、さらに効果的に回避することが可能になる。
【００２１】
横縞状筒状部２２の内側に設けられるトップライト部材２３は、建築物の天窓に設けられるトップライトとして公知の各種の市販品を用いることができる。本実施形態によれば、トップライト部材２３は、図４にも示すように、本体筒状部２０の上端面に載置固定することが可能な方形枠形状を有する固定枠２３ａと、Ｘ脚部２３ｂを介してこの固定枠２３ａに対して上下に昇降可能に取り付けられるトップライト本体部２３ｃとからなる。トップライト本体部２３ｃは、方形枠形状を有する昇降枠２３ｄの内側に、平坦で透明な強化ガラス２３ｅを好ましくは上下に２重に嵌め込んで構成されている。そして、例えば屋内からの遠隔操作により、Ｘ脚部２３ｂの交差角度を変化させつつトップライト本体部２３ｃを固定枠２３ａに対して昇降させ、昇降枠２３ｄを固定枠２３ａに重ね合わせるように密着させて本体筒状部２０の上端開口１９ａを閉塞した状態（図２及び図３の破線参照）から、上端開口１９ａを開放させて、横縞状筒状部２２の上端部内側面に昇降枠２３ｄが密着するまでトップライト本体部２３ｃを上下に移動させることができるようになっている。
【００２２】
また、本実施形態によれば、昇降枠２３ｄの上面には、当該上面に沿って、方形環状に連続する止水パッキン２５が取り付けられている。一方、横縞状筒状部２２の最上段に位置する羽根板による枠部材２１には、その上端内側周縁部分が内方に張り出すことによって、張出し当接部２１ａが設けられている（図３参照）。トップライト部材２３のトップライト本体部２３ｃを横縞状筒状部２２の最上部まで上昇させた際に、止水パッキン２５を介して昇降枠２３ｄの上面を最上段の枠部材２１の張出し当接部２１ａによる内側周縁部分に密着当接させることにより、横縞状筒状部２２の上端面２２ｂを開口面とした場合でも、当該開口面を強固に閉塞して横縞状筒状部２２の上端面２２ｂから雨水等が本体筒状部２０に侵入するのを効果的に回避することが可能になる。
【００２３】
なお、トップライト本体部２３ｃは、平坦な形状に形成する必要は必ずしもなく、例えば図５（ａ）〜（ｃ）に示すように、角錐形状、ドーム形状、寄棟屋根形状等、種々の立体形状に形成することもできる。
【００２４】
そして、上述の構成を有する本実施形態の建築物用通風塔１０によれば、雨水の侵入を回避しつつ、必要に応じて相当の量の通風を得ることを可能にすると共に、特に夏季において、高断熱、高気密の建築物の最上階の室内に、通風による涼感を効果的に付与することが可能になる。
【００２５】
すなわち、本実施形態によれば、枠部材２１を上下に間隔をおいて積層してなる横縞状筒状部２２が本体筒状部２０の上端部に連設配置されているので、建築物用通風塔１０は、屋根部１２の上方に突出する構造部分として優れた美観を呈することになる。また、横縞状筒状部２２の内側に配置されたトップライト部材２３のトップライト本体部２３ｃを垂直開閉式に昇降させることにより、例えば雨天時にトップライト本体部２３ｃによって本体筒状部２０の上端開口１９ａを閉塞して、雨水の侵入を容易に回避することが可能になる。さらに、晴天時等においては、好ましくはトップライト部材２３のトップライト本体部２３ｃを横縞状筒状部２２の上端部まで上昇させて通風塔１０を開放し、図６に示すように、トップライト本体部２３ｃの下方の本体筒状部２０との間で、横縞状筒状部２２の間隔部分２２ａを介して横方向に風が抜けるようにすることができるので、このようにしてしてトップライト本体部２３ｃの下方を風が横方向に抜ける際の煙突効果によって、屋内を吸引して相当量の空気が通風塔１０を介して屋外に排出されることになる。これによって涼感を得ることのできる相当量の通風を屋内に生じさせることが可能になると共に、特に夏季において、高断熱、高気密の建築物の最上階の屋内に、エアコンに頼ることなく、通風による涼感を効果的に付与することが可能になる。なお、トップライト部材２３は高断熱、高気密仕様となっているので、冬季は常時閉めておくことにより、建築物１１の高断熱性、高気密性が保持されることになる。
【００２６】
また、本実施形態の建築物１１によれば、吹き抜け部分１７の直上に建築物用通風塔１０が設けられているので、トップライト本体部２３ｃの下方を風が横方向に抜ける際の煙突効果によって、屋内の空気をより効率良く吸引することが可能になると共に、階段１４の直上部または直上部の近傍にトップライト部材２３を備える通風塔１０が設けられているので、トップライト部材２３を介して階段に光を効果的に照らすことが可能になる。さらに、例えば冬期に通風塔１０をトップライト部材２３によって閉塞しておくことにより、外部への熱損失を抑制することも可能になる。
【００２７】
なお、本発明は上記実施形態に限定されることなく種々の変更が可能である。例えば、通風塔の本体筒状部や横縞状筒状部は、正方形の断面形状を備えている必要は必ずしもなく、円形や６角形等、その他の断面形状の通風塔であっも良い。また、横縞状筒状部は、ルーバー構造やガラリ構造である必要は必ずしもなく、横縞状筒状部を構成する枠部材は、羽根板の他、例えば中空の４角形断面の棒状部材や帯状の平板等を枠状に形成して枠部材とすることもできる。
【図面の簡単な説明】
【００２８】
【図１】本発明の好ましい一実施形態に係る建築物用通風塔が設けられた建築物を例示する、（ａ）は正面図、（ｂ）は２階間取り図、（ｃ）は１階間取り図である。
【図２】本発明の好ましい一実施形態に係る建築物用通風塔を示す断面図である。
【図３】本発明の好ましい一実施形態に係る建築物用通風塔の要部を示す部分破断側面図である。
【図４】本発明の好ましい一実施形態に係る建築物用通風塔に取り付けたトップライト部材の斜視図である。
【図５】（ａ）〜（ｃ）は、トップライト部材の他の形態を例示する斜視図である。
【図６】通風塔を開放すると共に、トップライト部材と本体筒状部との間で、横縞状筒状部の間隔部分を介して横方向に風が抜けるようにした状態の説明図である。
【図７】屋根部から突出して設けられた従来の煙突形状の構造部分を説明する、（ａ）は建築物の部分正面図、（ｂ）は断面図である。
【符号の説明】
【００２９】
１０  建築物用通風塔
１１  建築物
１２  屋根部
１３  １階部分
１４  階段
１５  ２階部分
１６  ２階部分の天井面
１７  吹き抜け部分
１８  天井排気口
１９  本体筒状部の中空部分
１９ａ  本体筒状部の上端開口
２０  本体筒状部
２１  枠部材
２２  横縞状筒状部
２２ａ  横縞状筒状部の間隔部分
２３  トップライト部材
２３ａ  固定枠
２３ｂ  Ｘ脚部
２３ｃ  トップライト本体部
２３ｄ  昇降枠
２３ｅ  強化ガラス
２５  止水パッキン
【図１】
2006265824.tif 000003
【図２】
2006265824.tif 000004
【図３】
2006265824.tif 000005
【図４】
2006265824.tif 000006
【図５】
2006265824.tif 000007
【図６】
2006265824.tif 000008
【図７】
2006265824.tif 000009